(57)【要約】【課題】基端部に挟持用装着部を有するすだれ吊り下げ具を雨戸の開閉の障害にならないように窓サッシ上枠に装着するための金具を提供する。【解決手段】すだれ吊り下げ具が直接窓サッシの雨戸ガイド側板を挟持しない手法をとり、本考案で提供する金具は一枚の金属板からなり、すだれ吊り下げ具を装着する装着用平板とこれに断面逆Ｌ字型につながる固定用平板からなり、装着用平板の外縁両先端若しくは両側端辺に折り曲げ部があり、また当該固定用平板が装着用平板につながる幅が装着用平板の長辺より狭いことを特徴としたものである。金具はサッシ上枠上面の比較的局所的部分への取り付けが可能であり、これによりすだれ吊り下げ具を雨戸の開閉に障害にならないよう窓サッシへ装着することができる。【選択図】図２
0003111560.tif 000002
【実用新案登録請求の範囲】
【請求項１】
一枚の金属板からなり、直方形状の平板部分（「装着用平板」という）とそのひとつの長辺に沿ってその辺の長さより狭い幅でこの装着用平板に断面逆Ｌ字形状につながる平板部分（「固定用平板」という）からなり、その装着用平板のいまひとつの長辺の外縁両先端がその先端を頂点とした三角形状で断面Ｌ字形状の内側方向に折り曲げられていることを特徴とする、すだれ吊り下げ具を窓サッシに取り付けるための金具。
【請求項２】
一枚の金属板からなり、直方形状の平板部分（「装着用平板」という）とそのひとつの長辺に沿ってその辺の長さより狭い幅でこの装着用平板に断面逆Ｌ字形状につながる平板部分（「固定用平板」という）からなり、その装着用平板の長さ方向にある両端短辺が断面Ｌ字形状の内側方向に折り曲げられていることを特徴とする、すだれ吊り下げ具を窓サッシに取り付けるための金具。
【考案の詳細な説明】
【技術分野】
【０００１】  本考案は、すだれ吊り下げ具を窓サッシに取り付ける時使用する金具に関するものである。
【背景技術】
【０００２】  すだれ、ブラインド等の日除け具（以下「すだれ」という）を窓外に吊り下げる時、特に新建材の多用されている住宅建物ではすだれを吊り下げる場所が少なく、例えば図４に示すように基端部に挟持用平板（５）と挟持用ネジ（６）からなる挟持装着部を有するすだれ吊り下げ具（２）を窓サッシ上枠（１）の最も外側にある戸（最も外側にある戸は雨戸であることが多いので以下「雨戸」という）のガイド側板（３）を挟持して取り付ける方法がとられることがある。この場合、そのすだれ吊り下げ具（２）の挟持用平板（５）が雨戸のガイド側板（３）の内側にあり雨戸の開閉の障害になることがある。この課題を解決するため本出願人は特願２００３−２９２６２１号においてすだれ吊り下げ具を直接雨戸ガイド側板を挟持しない方法及びそれに使用する金具の提供を行った。
【考案の開示】
【考案が解決する課題】
【０００３】  本考案においては、解決する課題は上記特許出願と同じく、基端部に挟持装着部を有するすだれ吊り下げ具を窓サッシに装着する場合、その装着が雨戸の開閉の障害にならないようにすることであり、課題を解決する手法としては上記特許出願と同じく装着するすだれ吊り下げ具の挟持装着部でサッシの最外側にある雨戸ガイド側板を挟持しない方法をとることとし、本考案では、それに使用する金具として上記特許出願における金具と異なる新たな金具を提供する。
【課題を解決する手段】
【０００４】  上記特許出願において提供した金具は形態的に断面Ｌ字形の棒状体であり、その固定用平板と装着用平板は略同じ長さを有するが、本考案にかかる金具はその固定用平板を装着用平板に比し短縮した形態とした。
本考案にかかる金具について更に詳しく説明すれば、以下の通りである。
【０００５】  本考案にかかる当該金具は、図２に示すように一枚の金属板からなり直方形状の平板部分（「装着用平板」という、（９））とそのひとつの長辺に沿ってその辺の長さより狭い幅でこの装着用平板（９）に断面逆Ｌ字形状につながる平板部分（「固定用平板」という、（１０））からなり、その装着用平板（９）のいまひとつの長辺の外縁両先端がその先端を三角形の頂点とした形状で断面Ｌ字形状の内側方向に折り曲げ（１２）られていることを特徴とするものである。
【０００６】  又、本考案にかかる他の形態の金具は、図３に示すように一枚の金属板からなり直方形状の平板部分（「装着用平板」という、（１３））と、そのひとつの長辺に沿ってその辺の長さより狭い幅でこの装着用平板（１３）に断面逆Ｌ字形状につながる平板部分（「固定用平板」という、（１４））からなり、その装着用平板（１３）の長さ方向にある両端短辺が断面Ｌ字形状の内側方向に折り曲げ（１５）られていることを特徴とするものである。
【０００７】  上記［０００５］、［０００６］で記述する本考案にかかる金具については［０００５］の金具を例とすれば、図１に示すごとく当該金具の装着用平板（９）にはその端部に折り曲げ（１２）があり、金具をその固定用平板（１０）を窓サッシ上枠（１）の上面に、装着用平板（９）を雨戸ガイド側面に（３）沿わせて取り付けた場合、当該装着用平面（９）と雨戸ガイド側板（３）との間に間隙（７）が確保され、この間隙にすだれ吊り下げ具（２）の挟持用平板（５）を挿入することになる。
【０００８】  この間隙の幅は、取り付ける金具のサッシへの取り付け安定性が確保されるよう、又、金具を取り付けたサッシ部分が雨戸ガイド側板（３）、挿入したすだれ吊り下げ具の挟持用平板（５）及び金具の装着用平板（９）の三重効果により加乗された強度が確保されるように、すだれ吊り下げ具の挟持用平板（５）が雨戸ガイド側板（３）及び金具の装着用平板（９）に軽く接触する状態で挿入されることが望ましい。従って金具の装着用平板（９）端部の折り曲げ（１２）は、例えばすだれ吊り下げ具の挟持用平板（５）の厚みが１ミリメートル程度とすると、１．５乃至２．０ミリメートル程度の間隙が確保できる程度の折り曲げが望ましい。［０００６］に記述する金具についても同様なことが云いうる。
【０００９】  金具の装着用平板（（９）、（１３））端部の折り曲げ（（１２）、（１５））は、［０００５］の金具の場合は上記の通り三角形状で、［０００６］の金具の場合は長さ方向に沿って、当該装着用平板（（９）、（１３））に対して鋭角状態に、或いは垂直状態に、或いは鈍角状態に、或いは当該平板へ重ね合わせの状態になるよう、いずれの折り曲げ形態の選択も可能である。
【００１０】  金具をサッシ上枠上面（１）にネジで固定する場合、金具の固定用平板（１０）にネジ用孔（１１）を穿つことが必要であり、接着剤で固定する場合は当該ネジ用孔は必要としないが、固定用平板のネジ用孔の有無は本考案にかかる金具の考案の構成を左右するものでない。
【考案の効果】
【００１１】  本考案にかかる金具を使用することにより、雨戸の開閉に障害をおこすことなくすだれ吊り下げ具を窓サッシへ装着することができる。
【００１２】  本考案にかかる金具は上記特許出願における棒状体金具に比し固定用平板が短縮簡素化されているので、製作に必要な素材金属が少量ですむという利点がある。
【００１３】  本考案にかかる金具は窓サッシに固定する際必要なサッシ表面積が少なくてすむため、壁面改修工事後などにより窓サッシ上枠の上部表面が壁面塗装材付着などにより粗面となっている場合でもその研磨平滑化作業はごく局所のみでよいという利点がある。
【００１４】  このことは、本考案にかかる金具については金具を窓サッシに取り付ける時その装着用平板端部にある折り曲げがすだれ吊り下げ具の挟持用平板の挿入に必要な間隙を自動的に確保し金具の窓サッシへの取り付け作業を軽易にしている、ということと相俟って高所窓周りという難しい作業環境下での金具の取り付け作業を簡易軽減化するという極めて重要な利点をもつものである。
【考案を実施するための最良の形態】
【実施例】
【００１５】  厚み１．２ミリメートルのアルミ金属板からなり、長辺長さ８０ミリメートル、短辺長さ２０ミリメートルの装着用平板と、これと幅２０ミリメートル奥行き２０ミリメートルで断面逆Ｌ字状につながる固定用平板からなる素金具をつくり、次にその装着用平板の長さ方向外縁の両先端部を当該先端を三角形状の頂点として当該平板から垂直に２．０ミリメートル立ち上がる状態になるよう断面Ｌ字状の斜め内側方向に折り曲げ、その固定用平板のほぼ中央に４．０ミリメトルの固定用ネジ用孔を穿ち本考案にかかる金具（図２と同型）とした。この金具を平滑な窓サッシ上枠に図１と同様な方法でネジを用いて取り付けたところ、実質上問題なくすだれ吊り下げ具を装着することができた。
【産業上の利用可能性】
【００１６】  本考案の金具が産業上の利用可能性を有することは論を待たない。【００１７】  本考案にかかる金具を窓サッシ下枠の雨戸ガイド側板に上枠と逆方向に取り付けることにより、すだれの裾の動きを掴まえるなどの器具を雨戸の開閉に障害なくサッシ下枠へ装着することにも利用できる。
【図面の簡単な説明】
【図１】本考案にかかる金具を使用してすだれ吊り下げ具を窓サッシ上枠に装着した側面図である。（概念図であり実寸比とは異なる。以下同じ。）
【図２】本考案にかかる金具の断面Ｌ字入隅に向かっての斜視図である。
【図３】本考案にかかる他の形態の金具の断面Ｌ字入隅に向かっての斜視図である。
【図４】従来方法によりすだれ吊り下げ具を窓サッシ上枠に装着した側面図である。
【符号の説明】
１  サッシ上枠
２  すだれ吊り下げ具
３  雨戸ガイド側板
４  金具
５  挟持用平板
６  挟持用ネジ
７  間隙
８  固定用ネジ
９  装着用平板
１０  固定用平板
１１  ネジ用孔
１２  折り曲げ
１３  装着用平板
１４  固定用平板
１５  折り曲げ
【図１】
0003111560.tif 000003
【図２】
0003111560.tif 000004
【図３】
0003111560.tif 000005
【図４】
0003111560.tif 000006